(57)【要約】【課題】構造を簡易化したり、外被のメッシュ化による防塵・防水機能を損なったりすることなく、キャディバッグの軽量化を実現する。【解決手段】本発明の二重式キャディバッグ(１０)は、外バッグ(１１)と、この外バッグ(１１)に抜き差し自在に挿入される内バッグ(１２)を備えた内外二重構造を有する。好適には、内バッグはキャンバス地などを素材とし、内外両バッグそれぞれに着脱自在に取付け可能な共通の吊り紐(１３)を有する。【選択図】図１
2007089824.tif 000002
【特許請求の範囲】
【請求項１】
ゴルフクラブを収容するキャディバッグであって、
外バッグと、この外バッグの内部に抜き差し自在に収容される内バッグとを備えたことを特徴とする二重式キャディバッグ。
【請求項２】
前記外バッグは、開閉自在の蓋を備えた防塵構造を有することを特徴とする請求項１記載の二重式キャディバッグ。
【請求項３】
前記内バッグは、キャンバス地を素材とする筒状部分と底面部分とから構成されることを特徴とする請求項１または２のいずかに記載の二重式キャディバッグ。
【請求項４】
前記内バッグの筒状部分には、この筒状部分の長手方向に延長される帯状の高剛性部分がこの筒状部分の周方向に等間隔を保ちながら離間して複数形成されたことを特徴とする請求項３記載の二重式キャディバッグ。
【請求項５】
前記帯状の高剛性部分は、前記キャンバス地の端部を重ね合わせて張り合わせることにより形成されることを特徴とする請求項４記載の二重式キャディバッグ。
【請求項６】
前記内バッグの帯状の高剛性部分の一つに、吊り紐を取付けるためのフックが上下２個所にわたって取付けられたことを特徴とする請求項４または５に記載の二重式キャディバッグ。
【請求項７】
前記吊り紐は、前記外バッグにも着脱自在に取付け可能な共用の吊り紐であることを特徴とする請求項６に記載の二重式キャディバッグ。
【請求項８】
前記内バッグの内側に小型のゴルフ用具を収容用するポケットが形成されたことを特徴とする請求項１乃至７のいずれかに記載の二重式キャディバッグ。
【請求項９】
前記内バッグの上端部分には、これを前記外バッグに係止するためのフックが形成されたことを特徴とする請求項１乃至８記載の二重式キャディバッグ。
【発明の詳細な説明】
【技術分野】
【０００１】
本発明は、ゴルフに使用されるキャディバッグに関するものであり、より具体的には、抜き差し自在の内バッグを有する二重式キャディバッグに関するものである。
【背景技術】
【０００２】
従来、国内のゴルフ場でのプレイにおいては、規定本数以下のゴルフクラブを収容したキャディバッグを電動カートに積み込んでキャディと共にコースを回る方法が主流であった。最近、日本でも、外国でのようにキャディの手を借りることなく、あるいは、電動カートを使うことなく、プレイする方法が見直されつつある。特に、電動カートを使用しない場合には、個々のプレイヤーが、キャディバッグを小型の個人用カートに積み込んで運んだり、あるいは直接担いで運んだりしながらプレイを行う。
【発明の開示】
【発明が解決しようとする課題】
【０００３】
上記電動カートを使用しないプレイ方法では、キャディバッグを運ぶプレイヤーに体力的な負担がかかりすぎる場合が往々にしてある。特に、少子高齢化の進展に伴ってプレイヤーの平均年齢も高くなりつつある昨今では、そのような事態が懸念される。プレイヤーの体力的な負担を軽減するために、ゴルフクラブの軽量化と共に、これらを収容するキャディバッグの軽量化も必要になる。
【０００４】
キャディバッグを軽量化するには、その構造を簡略化することが有効である。しかし、キャディバッグは、単にゴルフクラブを収容するだけでなく、ボールや手袋や帽子などの小物や、プレイヤーによっては、ゴルフシューズや雨具なども収容する機能も備える必要がある。このため、キャディバッグの構造を簡略化することは、それほど容易ではないという問題がある。
【０００５】
キャディバッグの軽量化を図るには、外被をメッシュ構造にするなどの対策も有効であろう。しかし、キャディバッグの場合、プレイ中の降雨に対する防水・防湿機能や、家庭内などでの長期にわたる保管中の防塵機能が必要になるので、メッシュ構造を採用しにくいという問題がある。
【０００６】
従って、本発明の目的は、構造の簡略化や外被にメッシュ構造などを採用することなく、軽量化が可能なキャディバッグを提供することにある。
【課題を解決するための手段】
【０００７】
上記従来技術の課題を解決する本発明のキャディバッグは、外バッグと、この外バッグの内部に抜き差し自在に挿入される内バッグとを有する内外二重式の構造を有する。
【発明の効果】
【０００８】
家庭内での保管時や、ゴルフ場への運搬時には、外バッグと内バッグとから成る二重構造のキャディバッグが形成される。ゴルフ場では、プレイヤーがゴルフクラブを収容する内バッグを外バッグから抜き出して、個人用カートに積載したり、直接担いだりする。不要となった外バッグはクラブハウスの保管場所などに保管される。プレイヤーは、外バッグが取り外された軽量の内バッグだけを運搬すればよく、体力的な負担が軽減される。
【発明を実施するための最良の形態】
【０００９】
本発明の一つの好適な実施の形態によれば、外バッグは開閉自在の蓋を備えた防水・防塵構造を有することにより、従来のキャディバッグと同様に、運搬時や長期保管時に必要な防水・防塵性の機能を備える。
【００１０】
本発明の他の好適な実施の形態によれば、内バッグが、小さな密度のキャンバス地を素材とする筒状部分と底面部分とから成る簡易な構成を有することにより、大幅な軽量化が図られる。
【００１１】
本発明の更に他の好適な実施の形態によれば、内バッグのキャンバス地の筒状部分に、その長手方向に延長される帯状の高剛性部分がその周方向に等間隔を保ちながら離間して複数形成されることにより、大幅な軽量化を図りつつ内バッグの形状を保つために必要な最小限の剛性が付与される。
【００１２】
本発明の更に他の好適な実施の形態によれば、上記帯状の高剛性部分は、キャンバス地の端部を重ね合わせて張り合わせることにより形成されることにより、高剛性部分を作成するための労力と時間が節減される。
【００１３】
本発明の更に他の好適な実施の形態によれば、内バッグの筒状部分の帯状の高剛性部分の一つに、共用の吊り紐を取付けるフックが上下２個所にわたって取付けられことにより、この高剛性部分が内バッグの形状の保持に必要な最小限の剛性を保つ機能と、吊り紐から伝達される引っ張力に抗する強度を保つ機能が兼備される。
【００１４】
本発明の他の好適な実施の形態によれば、吊り紐を外バッグと内バッグのいずれにも着脱自在に取付け可能な内外バッグ共用のものとすることにより、持ち運びの際に必要な吊り紐を１本に集約できる。
【００１５】
本発明の更に他の好適な実施の形態によれば、内バッグの内側にボールなどの小型のゴルフ用具を収容するポケットを形成することにより、内バッグに従来の一重式キャディバッグと同様の用具収納機能を付与することができる。
【００１６】
本発明の更に他の好適な実施の形態によれば、内バッグの上端部分には、これを外バッグに係止するためのフックが形成されることにより、内バッグを外バッグに挿入した状態での相対的な動きを抑制する機能を付与できる。
【実施例】
【００１７】
図１は本発明の一実施例の二重式キャディバッグを、ゴルフクラブを収容した状態で示す断面図、図２は図１の内バッグをゴルフクラブ２０を収容した状態で示す断面図、図３は図１と図２の内バッグの正面図である。図１〜図３中、１０は本発明の一実施例の二重式キャディバッグ、１１は外バッグ、１２は内バッグ、１３は吊り紐である。
【００１８】
まず、図１を参照すると、外バッグ１１は、従来のキャディバッグと同様に、プラスチックやダンボールを素材とする概ね円筒形状の芯部分が形成され、そのまわりに、ビニールなどの合成樹脂や皮革を素材とする外被部分が形成された構造を有する。外バッグ１１の頂部には、ジッパーやホックにより開閉される慣用のキャップ部分（図１ではこのキャップ部分を取り外した状態を示す）が着脱自在に取付けられることにより、運搬時に必要な防水性や長期保管時に必要な防塵性を備えている。
【００１９】
次に、図１，図２を参照すると、この実施例の二重式キャディバッグは、上述した外バッグ１１の内部に内バッグ１２が抜き差し自在に挿入可能な構造を有する。この外バッグ１１と内バッグ１２とによって、このキャディバッグは全体として内外二重式の構造を形成する。
【００２０】
続いて、図３を参照すると、内バッグ１２は、キャンバス地を素材とする筒状部分１２ａと、底面部分１２ｂとから構成されている。内バッグ１２は、その素材として小さな密度のキャンバス地を選択することにより、大幅な軽量化が図られる。例えば、この内バッグ１２の重量は、６００〜７００グラムの範囲に設定される。ゴルフクラブの平均的な重さが５００グラム程度であるから、内バッグ１２の重量は平均的な重さのゴルフクラブ２本分にも満たない重量に設定される。
【００２１】
図３を参照すると、内バッグ１２の筒状部分１２ａに、この筒状部分の長手方向に延長される帯状の高剛性部分１２ｃが、この筒状部分１２ａの周方向に等間隔を保ちながら２本形成されている。この点線で示す帯状の高剛性部分１２ｃは、２枚のキャンバス地の端部を細い帯状に重ね合わせて張り合わせることにより形成される。この高剛性部分１２ｃを周方向に１８０度離間した２個所にわたって形成することにより、内バッグ１２の大幅な軽量化を図りながらその形状を円筒状に保つのに必要な最小限の剛性を付与することができる。
【００２２】
内バッグ１２の開放端面を概ね円形に保つ機能を果たすため、内バッグ１２の筒状部分１２ａの上端部にも、キャンバス地を２枚重ねて張り合わせた円環状の高剛性部分１２ｄが形成されている。キャンバス地を２枚張り合わせることにより、変形に抗する剛性と共に、引っ張り力に抗する強度も高められる。
【００２３】
内バッグ１２の上端部に形成された円環状の高剛性部分１２ｄには、円周方向に９０度ずつ離間した状態で４個のフック１２ｅが固定されている。図１を参照すると、４個のフック１２ｅは、内バッグ１２を外バッグ１１に挿入した時に、外バッグ１１の筒状部分の上端部に係止せしめられる。このフック１２ｅの係止機能によって、内バッグ１２を外バッグ１１に挿入した状態での内外両バッグの相対的な動きが抑制される。
【００２４】
帯状の高剛性部分１２ｃの一つに、吊り紐１３を取付けるためのショルダーフック１２ｆが、上下方向の２個所にわたって固定される。この２個のショルダーフック１２ｆに両端が取付けられる吊り紐１３は、図１を参照すると、外バッグのショルダーフックに着脱自在に取付けられる吊り紐と共用される。
【００２５】
以上、内バッグの素材をキャンバス地とする構成を例示した。しかしながら、この内バッグの素材はキャンバス地に限らず、樹脂、皮革その他適宜なものを使用できる。また、内バッグの軽量化を図るため、キャンバス地や樹脂や皮革などの素材をメッシュ状にしたり、あるいは、支柱と網状体とを組み合わせた駕籠と類似の構造とすることもできる。
【００２６】
また、筒状部分に帯状の高剛性部分を２本作成する構成を例示した。しかながら、この高剛性部分は、必要に応じて、３本以上形成したり、１本だけ形成したり、あるいは、補強部材と組合せる場合などには、まったく形成しなかったりすることもできる。
【００２７】
さらに、上記高剛性部分をキャンバス地の端部を重ね合わせて張り合わせることによって形成する代わりに、金属棒や針金などを保持部材として使用することにより形成してもよい。
【００２８】
さらに、内バッグの上端部の円周方向に４個のフックを固定する構造を例示した。しかしながら、内外のバッグの相対的な動きをあるていど許容できる場合には、このフックの個数を３個や２個や１個に減らしたり、あるは、省略することもできる。
【００２９】
また、吊り紐のみを内外両バッグで共用する構成を例示した。しかしながら、ジッパーやホックで開閉可能な慣用のキャップをについても、内外両バッグで共用することができる。すなわち、慣用のキャップを外バッグの頂部にも内バッグの頂部にも着脱自在に取付け可能とすることにより、プレイ中の降雨などに対して内バッグの防水機能を確保することもできる。
【図面の簡単な説明】
【００３０】
【図１】本発明の一実施例の二重式キャディバッグの構成をゴルフクラブの収納状態で示す断面図。
【図２】図１中の内バッグの構成をゴルフクラブの収納状態で示す断面図。
【図３】図１，図２中の内バッグの構成を示す正面図。
【符号の説明】
【００３１】
10    二重式キャディバッグ
11    外バッグ
12    内バッグ
12a   筒状部分
12b   底面部分
12c   高剛性部分
12d   高剛性部分
12ｅ  フック
12f   ショルダーフック
13    吊り紐
20    収容対象のゴルフクラブ
【図１】
2007089824.tif 000003
【図２】
2007089824.tif 000004
【図３】
2007089824.tif 000005